(57)【要約】【課題】太陽を追跡する感度および正確度を向上させることが可能なソーラーパネル追跡装置を提供する。【解決手段】ソーラーパネル追跡装置は、筒身１と、筒身１の太陽側の端部に設けられ、透光の交点２１を中心に有する透過ユニット２と、筒身１の両端間に設けられ、半透明体である投影ユニット３と、投影ユニット３の側部に設けられた感光ユニット４と、投影ユニット３と感光ユニット４との間に配置されたレンズ５と、を備える。投影ユニット３は、透過ユニット２と感光ユニット４との間に配置され、感光ユニット４が投影ユニット３の中心の所定の位置決め中心３１に位置する。【選択図】図１
2010109052.tif 000002
【特許請求の範囲】
【請求項１】
筒身と、
前記筒身の太陽側の端部に設けられ、透光の交点を中心に有する透過ユニットと、
前記筒身の両端間に設けられ、半透明体である投影ユニットと、
前記投影ユニットの側部に設けられた感光ユニットと、
前記投影ユニットと前記感光ユニットとの間に配置されたレンズと、を備え、
前記投影ユニットは、前記透過ユニットと前記感光ユニットとの間に配置され、前記感光ユニットが前記投影ユニットの中心の所定の位置決め中心に位置することを特徴とするソーラーパネル追跡装置。
【請求項２】
前記筒身は伸縮可能であることを特徴とする請求項１に記載のソーラーパネル追跡装置。
【請求項３】
前記筒身は円筒状であることを特徴とする請求項１に記載のソーラーパネル追跡装置。
【請求項４】
前記透過ユニットは、光透過可能な十字状ターゲットであることを特徴とする請求項１に記載のソーラーパネル追跡装置。
【請求項５】
前記投影ユニットはすりガラスであることを特徴とする請求項１に記載のソーラーパネル追跡装置。
【請求項６】
前記感光ユニットは、ＣＭＯＳまたはＣＣＤであることを特徴とする請求項１に記載のソーラーパネル追跡装置。
【請求項７】
一方の端部が前記筒身の他方の端部に設けられ、前記感光ユニットが設けられた感光ユニットベースをさらに備えることを特徴とする請求項１に記載のソーラーパネル追跡装置。
【請求項８】
前記感光ユニットベースの他方の端部に設けられたベースカバーをさらに備えることを特徴とする請求項７に記載のソーラーパネル追跡装置。
【発明の詳細な説明】
【技術分野】
【０００１】
本発明はソーラーパネル追跡装置に関し、特に、太陽を追跡する感度および正確度を向上させるソーラーパネル追跡装置に関する。
【背景技術】
【０００２】
現在、世界の石化燃料が次第に枯渇し始めていることから、ソーラー発電、風力発電、水力発電などの代替エネルギの開発が積極的に行われている。そのうちのソーラー発電は、ソーラーパネルを太陽に向けて吸収した太陽光を電気エネルギに変換させるが、ソーラーパネルを常に太陽の方向へ向けることができるように、ソーラーパネルに追跡装置が装着されていた。従来の太陽追尾システムは、主にフォトレジスターを用いて太陽光を追跡していたが、フォトレジスターの感知は誤差が大きいため、ソーラーパネルを太陽の方向へ正確に向けることができないことがあった。
【０００３】
そのため、太陽を追跡する感度および正確度を向上させることが可能なソーラーパネル追跡装置が求められていた。
【発明の開示】
【発明が解決しようとする課題】
【０００４】
本発明の目的は、太陽を追跡する感度および正確度を向上させることが可能なソーラーパネル追跡装置を提供することにある。
【課題を解決するための手段】
【０００５】
上記問題を解決するために、本発明に係るソーラーパネル追跡装置は、筒身と、前記筒身の太陽側の端部に設けられ、透光の交点を中心に有する透過ユニットと、前記筒身の両端間に設けられ、半透明体である投影ユニットと、前記投影ユニットの側部に設けられた感光ユニットと、前記投影ユニットと前記感光ユニットとの間に配置されたレンズと、を備え、前記投影ユニットは、前記透過ユニットと前記感光ユニットとの間に配置され、前記感光ユニットが前記投影ユニットの中心の所定の位置決め中心に位置することを特徴とする。
【０００６】
さらに、本発明に係るソーラーパネル追跡装置は、前記筒身は伸縮可能であることを特徴とする。
【０００７】
さらに、本発明に係るソーラーパネル追跡装置は、前記筒身は円筒状であることを特徴とする。
【０００８】
さらに、本発明に係るソーラーパネル追跡装置は、前記透過ユニットは、光透過可能な十字状ターゲットであることを特徴とする。
【０００９】
さらに、本発明に係るソーラーパネル追跡装置は、前記投影ユニットはすりガラスであることを特徴とする。
【００１０】
さらに、本発明に係るソーラーパネル追跡装置は、前記感光ユニットは、ＣＭＯＳまたはＣＣＤであることを特徴とする。
【００１１】
さらに、本発明に係るソーラーパネル追跡装置は、一方の端部が前記筒身の他方の端部に設けられ、前記感光ユニットが設けられた感光ユニットベースをさらに備えることを特徴とする。
【００１２】
さらに、本発明に係るソーラーパネル追跡装置は、前記感光ユニットベースの他方の端部に設けられたベースカバーをさらに備えることを特徴とする。
【発明の効果】
【００１３】
本発明のソーラーパネル追跡装置は、太陽を追跡する感度および正確度を向上させることができる上、筒身を伸縮させて視野角を広くしたり狭くしたりすることができる。
【発明を実施するための最良の形態】
【００１４】
以下、本発明の実施形態について図に基づいて説明する。なお、これによって本発明が限定されるものではない。
【００１５】
図１および図２を参照する。図１および図２に示すように、ソーラーパネル追跡装置は、筒身１、透過ユニット２、投影ユニット３、感光ユニット４およびレンズ５を含む。筒身１は、伸縮可能な円筒状でもよい。透過ユニット２は、筒身１の太陽側の端部に設けられ、透過ユニット２の中心には光透過可能な交点２１が設けられている。例えば、透過ユニット２は、光透過可能な十字状ターゲットまたは光透過可能な交点を有した他の物でもよい。投影ユニット３は、筒身１の両端の間に設けられた半透明体でもよい。例えば、投影ユニット３はすりガラスである。感光ユニット４は、投影ユニット３の側部に設けられ、投影ユニット３は、透過ユニット２と感光ユニット４との間に配置されている。感光ユニット４は、投影ユニット３の中心の所定の位置決め中心３１に配置され、感光ユニット４は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）またはＣＣＤ（Ｃｈａｒｇｅ  Ｃｏｕｐｌｅｄ  Ｄｅｖｉｃｅ）でもよい。レンズ５は、投影ユニット３と感光ユニット４との間に配置され、感光ユニット４上に投影ユニット３の画像が結像される。また、本実施形態のソーラーパネル追跡装置は、一方の端部が筒身１の他方の端部に螺着され、感光ユニット４が設けられた感光ユニットベース６をさらに含んでもよい。また、本実施形態のソーラーパネル追跡装置は、感光ユニットベース６の他方の端部に螺着されたベースカバー７をさらに含んでもよい。
【００１６】
図３を参照する。図３に示すように、本実施形態のソーラーエネルギ追跡装置を使用すると、筒身１が有する透過ユニット２の端部から筒身１内に太陽光が入射され、投影ユニット３上に透過ユニット２の交点２１の交点投影２２が投影される。投影ユニット３が半透明体であるため、投影ユニット３の側部に配置された感光ユニット４は、レンズ５を介して透過ユニット２の交点２１の交点投影２２を感知すると、感光ユニット４が交点投影２２と位置決め中心３１との相対関係を比較し、交点投影２２と位置決め中心３１とを重ね、筒身１（およびソーラーパネル）が太陽の方向に向くように筒身１の角度を調整する。透過ユニット２の外径Ｄおよび筒身１の長さＬを利用した場合、最大入射角Ｘは、以下の数１により得ることができる。
【００１７】
【数１】
2010109052.tif 000003
【００１８】
感光ユニット４が一方向でＮ個の画素を有し、透過ユニット２上の最大入射角がＸ度である場合、識別感度がＸ／Ｎ度であり（即ち、各画素がＸ／Ｎ度であることを表す）、画素が高い感光ユニット４を選択して用いる場合、画像が非常に小さくカットされるため、入射光が微細な角度変化を有し、感光ユニット４の判別が容易となる。
【００１９】
図４は、本発明の一実施形態による動作状態を示す模式図である。図４の左側のソーラーエネルギ追跡装置が示すように、筒身１（およびソーラーパネル）が太陽の方向に向けられると、透過ユニット２を有する筒身１の一方の端部から太陽光が入射され、透過ユニット２の交点２１の交点投影２２が投影ユニット３上に投影され、投影ユニット３が半透明体であるため、投影ユニット３の側部に配置された感光ユニット４がレンズ５を介して透過ユニット２の交点２１の交点投影２２を感知し、この際、交点投影２２と位置決め中心３１とが重なる。図４の右側のソーラーエネルギ追跡装置が示すように、太陽偏移がθ度であるとき、透過ユニット２の端部がθ度の傾きを有する筒身１に太陽光が入射され、投影ユニット３上に透過ユニット２の交点２１の交点投影２２が投影され、投影ユニット３が半透明体であるため、投影ユニット３の側部に設けられた感光ユニット４がレンズ５を介して透過ユニット２の交点２１の交点投影２２を感知するとき、感光ユニット４により位置決め中心３１に対する交点投影２２の偏移量を比較し、交点投影２２と位置決め中心３１とを重ねて筒身１（およびソーラーパネル）が太陽の方向に向くように筒身１の角度を調整する。
【００２０】
図５を参照する。図５は、本発明の一実施形態による動作状態を示すもう一つの模式図である。図５の左側のソーラーエネルギ追跡装置が示すように、太陽偏移がθ度である場合、透過ユニット２の交点２１の交点投影（図示せず）が感光ユニット４の感光範囲を超えると、図５の右側のソーラーエネルギ追跡装置が示すように、筒身１を短くすることにより、透過ユニット２の交点２１の交点投影２２がレンズ５を介して感光ユニット４上に結像された後（即ち、数２）、図４に示す方式により、交点投影２２と位置決め中心３１とを重ねて筒身１（およびソーラーパネル）を太陽に向けることができる。
【００２１】
【数２】
2010109052.tif 000004
【００２２】
本発明のソーラーエネルギ追跡装置は、透過ユニットを介して投影ユニットへ投影し、感光ユニットがレンズにより透過ユニットの交点投影を結像させ、太陽を追跡する感度および正確度の効果を高めることができる上、筒身を短くすることにより視野角を広くしたり狭くしたりすることができる。
【００２３】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【図面の簡単な説明】
【００２４】
【図１】本発明の一実施形態によるソーラーパネル追跡装置を示す分解斜視図である。
【図２】本発明の一実施形態によるソーラーパネル追跡装置を示す斜視図である。
【図３】本発明の一実施形態によるソーラーパネル追跡装置が投影を行うときの状態を示す斜視図である。
【図４】本発明の一実施形態によるソーラーパネル追跡装置の動作状態を示す模式図である。
【図５】本発明の一実施形態によるソーラーパネル追跡装置の動作状態を示すもう一つの模式図である。
【符号の説明】
【００２５】
１  筒身
２  透過ユニット
２１  交点
２２  交点投影
３  投影ユニット
３１  位置決め中心
４  感光ユニット
５  レンズ
６  感光ユニットベース
７  ベースカバー
【図１】
2010109052.tif 000005
【図２】
2010109052.tif 000006
【図３】
2010109052.tif 000007
【図４】
2010109052.tif 000008
【図５】
2010109052.tif 000009